(57)【要約】【課題】  被支持部材の中途を貫通孔に挿嵌して支持することができる支持具を提供する。【解決手段】  吸盤２と、被支持部材Ａが挿嵌される貫通孔５と、該貫通孔５の周りを貫通孔５の径方向に割った割り部分６とを有しており、この割り部分６を離間方向へ開くことが可能とし、割り部分６をホーン形に開くことにより被支持部材Ａの中途を貫通孔５に挿嵌して支持することができ、キャップ４を割り部分６の外側に外嵌して割り部分６が開くのを禁止することにより被支持部材Ａの支持状態を維持するようにした。【選択図】        図３
2006288833.tif 000002
【特許請求の範囲】
【請求項１】
適宜の物体に取着される取着手段、及び被支持部材が挿嵌される貫通孔を有し、前記被支持部材を支持する支持具において、前記貫通孔の周りを貫通孔の径方向に割っており、且つこの割り部分を離間方向へ開くことが可能になっており、前記割り部分が開くのを禁止する禁止手段を備えることを特徴とする支持具。
【請求項２】
前記禁止手段は前記割り部分に嵌脱可能に外嵌されているキャップである請求項１記載の支持具。
【発明の詳細な説明】
【技術分野】
【０００１】
本発明は物干し竿等の被支持部材を支持する支持具に関する。
【背景技術】
【０００２】
物干し竿を支持する支持具は、貫通孔を有する一対の支持具の前記貫通孔に物干し竿を挿嵌して支持する構成になっている。また、タオルハンガは、貫通孔を有する支持具の前記貫通孔に無端の吊環が挿嵌されているもの、又は、貫通孔を有する一対の支持具の前記貫通孔に吊棒が挿嵌されているものが知られている。また、被支持部材を支持する支持具として例えば特許文献１に記載されたものが知られている。
【特許文献１】特開２００３−７９９９９号公報
【発明の開示】
【発明が解決しようとする課題】
【０００３】
ところが、従来の支持具は貫通孔を有し、該貫通孔に物干し竿、吊環、吊棒が挿嵌されるように構成されているため、物干し竿及び吊棒を支持する場合、物干し竿及び吊棒の長手方向一端から一方の支持具の貫通孔に挿嵌し、さらに他方の支持具の貫通孔に挿嵌する必要があり、支持作業及び取外し作業が行い難いし、また、物干し竿及び吊棒が貫通孔内でガタつき易いと言う問題があった。また、吊環を支持する場合、有端の吊環を支持具の貫通孔に挿嵌した後、吊環の両端が結合されるため、タオルの枚数に応じて吊環を交換することができなかった。
【０００４】
本発明は斯かる事情に鑑みてなされたものであり、主たる目的は被支持部材が挿嵌される貫通孔の周りを貫通孔の径方向に割り、且つこの割り部分を離間方向へ開くことが可能に構成し、割り部分が開くのを禁止する禁止手段を設けたことにより、被支持部材の中途部分を貫通孔に挿嵌して支持することができる支持具を提供することにある。
【０００５】
また、他の目的は割り部分にキャップを嵌脱可能に外嵌することにより、被支持部材の支持作業及び取外し作業を簡易にできる支持具を提供することにある。
【課題を解決するための手段】
【０００６】
第１発明に係る支持具は、適宜の物体に取着される取着手段、及び被支持部材が挿嵌される貫通孔を有し、前記被支持部材を支持する支持具において、前記貫通孔の周りを貫通孔の径方向に割っており、且つこの割り部分を離間方向へ開くことが可能になっており、前記割り部分が開くのを禁止する禁止手段を備えることを特徴とする。
【０００７】
第１発明にあっては、禁止手段による禁止を解除した状態で割り部分を離間方向へ開くことにより、割り部分の対向間隔が大きくなり、該割り部分から貫通孔に被支持部材の中途部分を嵌入支持することができ、この後、割り部分を閉じ、禁止手段を操作することにより割り部分が開くのを禁止でき、被支持部材の支持状態を維持することができる。
【０００８】
第２発明に係る支持具は、請求項１において、前記禁止手段は前記割り部分に嵌脱可能に外嵌されているキャップであることを特徴とする。
【０００９】
第２発明にあっては、キャップを嵌脱操作することにより割り部分が開くのを禁止することができ、被支持部材の支持作業及び取外し作業を簡易にできる。また、割り部分をキャップが補強するため、耐久性を高めることができ、また、被支持部材を貫通孔内で挟み込むことが可能であり、被支持部材のガタつきを防ぐことができる。
【発明の効果】
【００１０】
第１発明によれば、禁止手段による開きの禁止を解除した状態で割り部分を開くことにより、割り部分の対向間隔が大きくなり、該割り部分から貫通孔に被支持部材の中途部分を嵌入支持することができ、この後、割り部分を閉じ、禁止手段を操作することにより割り部分の開きを禁止でき、被支持部材の支持状態を維持することができる。
【００１１】
第２発明によれば、キャップを嵌脱操作することにより割り部分の開きを禁止することができ、被支持部材の支持作業及び取外し作業を簡易にできる。また、割り部分をキャップが補強するため、耐久性を高めることができ、また、被支持部材の貫通孔内でのガタつきを防ぐことができる。
【発明を実施するための最良の形態】
【００１２】
以下、本発明をその実施の形態を示す図面に基づいて詳述する。図１は本発明に係る支持具の構成を示す斜視図、図２は支持具の構成を示す分解斜視図、図３は支持具に被支持部材を支持する場合の説明図、図４は被支持部材を支持した状態の斜視図である。
【００１３】
図に示した支持具は壁、ベランダの支柱等の物体に取着される取着手段としての吸盤２及び該吸盤２の中央部に突設された角柱部３を有する支持具本体１と、角柱部３に嵌脱可能に外嵌された略Ｕ字形をなすキャップ４とを備える。
【００１４】
支持具本体１は合成樹脂、合成ゴム等の軟質材からなり、角柱部３の先側に、角柱部３の両側面を貫通する貫通孔５と、貫通孔５の周りを貫通孔５の径方向に割り、この割り部分６を離間方向へ開くことが可能になっている。即ち、割り部分６に離間方向へ力を加えることにより貫通孔５の周りの二箇所７，７が撓み、ホーン形に開くことが可能になっている。また、角柱部３の上下面には係合凹部８，８が設けられている。
【００１５】
キャップ４は割り部分６が開くのを禁止するものであり、支持具本体１より硬質の硬質材からなる。このキャップ４の内側には係合凹部８，８に対応する係合凸部９，９が設けられており、角柱部３に外嵌したとき、係合凸部９，９が係合凹部８，８に係合し、キャップ４が不測に抜け出ないように構成されている。
【００１６】
以上のように構成された支持具は、物干し竿、タオルハンガの吊環又は吊棒等の被支持部材Ａが支持される。被支持部材Ａを支持する場合、キャップ４を角柱部３から抜き出し、角柱部３の割り部分６を離間方向へホーン形に開き、被支持部材Ａの長手方向中途部分を割り部分６から貫通孔５に挿嵌する。そして、割り部分６を閉じ、キャップ４を角柱部３に外嵌することにより、割り部分６が開くのを禁止することができ、また、被支持部材Ａを貫通孔５内で挟み込むことができ、被支持部材Ａのガタつきを防ぐことができる。このとき、係合凸部９，９が係合凹部８，８に係合し、キャップ４の離脱を防ぐことができる。
【００１７】
また、支持具が支持している被支持部材Ａを取外す場合、キャップ４を角柱部３から抜き出し、角柱部３の割り部分６を離間方向へホーン形に開くことにより、被支持部材Ａを長手方向の中途部分で貫通孔５から割り部分６を経て抜き出すことができ、この抜き出し後に割り部分６を閉じ、キャップ４を角柱部３に外嵌することにより、割り部分６が開くのを禁止することができる。
【００１８】
尚、以上説明した実施の形態では軟質材からなる支持具本体１の貫通孔５の周りにヒンジを設けることなく貫通孔５の周りの二箇所７，７を撓み可能としたが、その他、二箇所７，７を薄肉ヒンジとし、割り部分６をより一層開き易いように構成してもよいし、また、吸盤２部を軟質材とし、貫通孔５側部分を硬質材とし、貫通孔５の周りの二箇所７，７又は一箇所に薄肉ヒンジ等の揺動支点部を設けた構成としてもよい。この場合、吸盤２部及び貫通孔５側部分は合成樹脂材により一体成形された構成としてもよいし、また、貫通孔５側部分を金属材で形成し、接着剤等の結合手段により一体にしてもよい。
【００１９】
また、取着手段として吸盤２を用いたが、その他、螺子が挿通される挿通孔を有し、該挿通孔に挿通される螺子が取着する構成としてもよいのであり、取着手段の構成は特に制限されない。
【００２０】
また、禁止手段としてキャップ４を用いたが、その他、割り部分６の一方側に係合部を有する帯部材を一体に設け、該帯部材の係合部に対応する係止部を割り部分６の他方側に設けた構成としてもよいし、また、割り部分６の対向面の一方に係止凸部を設け、該係止凸部に対応する係止孔を他方に設けた構成としてもよいし、また、割り部分６の周りに環体を外嵌する構成としてもよく、禁止手段の構成は特に制限されない。
【図面の簡単な説明】
【００２１】
【図１】本発明に係る支持具の構成を示す斜視図である。
【図２】本発明に係る支持具の構成を示す分解斜視図である。
【図３】本発明に係る支持具に被支持部材を支持する場合の説明図である。
【図４】本発明に係る支持具に被支持部材を支持した状態の斜視図である。
【符号の説明】
【００２２】
２  吸盤（取着手段）
４  キャップ（禁止手段）
５  貫通孔
６  割り部分
【図１】
2006288833.tif 000003
【図２】
2006288833.tif 000004
【図３】
2006288833.tif 000005
【図４】
2006288833.tif 000006